【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
コンテンツへのアクセスを提供するコンピュータ実施方法であって、
プロセッサ及びメモリを有するクライアントコンピュータシステムにおいて、
第１の相手に関連付けられたホストアプリケーションを実行することであって、前記第１の相手は、ライセンス供与されるコンテンツを再生する権利を確保していることと、
前記ホストアプリケーションと、前記第１の相手に関連付けられたサーバとの間にセキュア通信チャネルを確立することとであって、前記セキュア通信チャネルは、前記ホストアプリケーションとは別個に実行されるアプリケーションにアクセスすることができないことと、
第２の相手に関連付けられた補足アプリケーションを実行することと、
前記補足アプリケーションから、前記クライアントコンピュータシステムで再生される各コンテンツのユーザ選択の表示を取得することであって、前記各コンテンツはラインセス供与されるコンテンツであり、前記補足アプリケーションは、独立して、前記各コンテンツを再生することを許可されないことと、
前記補足アプリケーションから前記表示を取得することに応答して、
前記セキュア通信チャネルを介して前記各コンテンツにアクセスすることと、
前記補足アプリケーションでの前記各コンテンツの前記ユーザ選択に応答して、前記各コンテンツの再生を開始することであって、前記再生は前記ホストアプリケーションによって実行されることと、
を含む、方法。
【請求項２】
前記第１の相手及び前記第２の相手は異なるビジネスエンティティであり、前記ホストアプリケーションは前記第１の相手によって開発され、前記補足アプリケーションは前記第２の相手によって開発され、前記第１の相手によって承認される、請求項１に記載の方法。
【請求項３】
前記補足アプリケーションは、前記ホストアプリケーションの機能を拡張する、請求項１又は２に記載の方法。
【請求項４】
前記補足アプリケーションは、前記ホストアプリケーションへのプラグインである、請求項１〜３のいずれか一項に記載の方法。
【請求項５】
前記ホストアプリケーションはメディプレーヤアプリケーションである、請求項１〜４のいずれか一項に記載の方法。
【請求項６】
前記ライセンス供与されるコンテンツは複数のオーディオファイルを含む、請求項１〜５のいずれか一項に記載の方法。
【請求項７】
前記各コンテンツの前記ユーザ選択の前記表示は、前記補足アプリケーションによって提供されるアフォーダンスの選択を含む、請求項６に記載の方法。
【請求項８】
前記サーバから前記クライアントコンピュータシステムに前記オーディオファイルをストリーミングすることを更に含む、請求項７に記載の方法。
【請求項９】
前記サーバは第２のクライアントコンピュータシステムである、請求項８に記載の方法。
【請求項１０】
前記ライセンス供与されるコンテンツは複数のビデオファイルを含む、請求項１〜５のいずれか一項に記載の方法。
【請求項１１】
前記各コンテンツの前記ユーザ選択の前記表示は、前記補足アプリケーションによって提供されるアフォーダンスの選択を含む、請求項１０に記載の方法。
【請求項１２】
前記サーバから前記クライアントコンピュータシステムに前記ビデオファイルをストリーミングすることを更に含む、請求項１１に記載の方法。
【請求項１３】
前記サーバは第２のクライアントコンピュータシステムである、請求項１２に記載の方法。
【請求項１４】
前記補足アプリケーションは、前記ホストアプリケーションとの併用について前記第１の相手から許可される、請求項１〜１３のいずれか一項に記載の方法。
【請求項１５】
前記補足アプリケーションは、前記ホストアプリケーションの１つ又は複数のアプリケーションプログラミングインタフェースを介して、前記ホストアプリケーション及び前記第１の相手のうちの一方又は両方のサービスにアクセスする、請求項１〜１４のいずれか一項に記載の方法。
【請求項１６】
前記サービスは、
コンテンツ項目の提示の開始、
コンテンツ項目の提示の終了、
コンテンツ項目の既存プレイリストへの追加、
新規プレイリストの前記ホストアプリケーションへの関連付け、
コンテンツ項目の購入、
コンテンツ項目のトップチャートリストへのアクセス、
コンテンツ項目の編集者レビューへのアクセス、
コンテンツ項目の個人推奨へのアクセス、
選択されたコンテンツ項目に関連するコンテンツ項目へのアクセス、
来るコンサート又はイベントの通知、
コンサート又はイベントのプロモーション資料へのアクセス、
コンサート又はイベントのチケット購入、
ゲームの提示の開始、
ゲームでの高得点の登録、
ゲームでの高得点のスコアボードの閲覧、
歌詞へのアクセス、
歌詞の追加、編集、又は修正、
ソーシャルグラフでのユーザについての情報へのアクセス、
ソーシャルネットワークでのフォロワーリストへのアクセス、
ソーシャルネットワークでの影響度スコアへのアクセス、
ソーシャルネットワークでのステータス通知へのアクセス、
ソーシャルネットワークでのステータス通知の掲示、及び
ソーシャルネットワークでのユーザへのコンテンツ項目のプッシュ
からなる群から選択される、請求項１５に記載の方法。
【請求項１７】
前記ホストアプリケーションとは別個に実行されるアプリケーションは、前記ライセンス供与されるコンテンツを利用可能ではない、請求項１〜１６のいずれか一項に記載の方法。
【請求項１８】
前記ホストアプリケーションは、オペレーティングシステム内で実行される、請求項１〜１７のいずれか一項に記載の方法。
【請求項１９】
前記補足アプリケーションは、前記ホストアプリケーションと併せてのみ実行可能である、請求項１〜１８のいずれか一項に記載の方法。
【請求項２０】
前記ライセンス供与されるコンテンツは、前記ホストアプリケーションとは別個の前記クライアントコンピュータシステムで実行中のアプリケーションによって再生されることが許可されない、請求項１〜１９のいずれか一項に記載の方法。
【請求項２１】
前記セキュア通信チャネルはハイパーテキスト転送プロトコルセキュア（ＨＴＴＰＳ）を使用する、請求項１〜２０のいずれか一項に記載の方法。
【請求項２２】
前記セキュア通信チャネルは暗号化通信を使用する、請求項１〜２１のいずれか一項に記載の方法。
【請求項２３】
前記セキュア通信チャネルを開始することは、前記サーバを認証することを含む、請求項１〜２２のいずれか一項に記載の方法。
【請求項２４】
前記コンテンツは前記サーバに記憶される、請求項１〜２３のいずれか一項に記載の方法。
【請求項２５】
前記コンテンツは、前記サーバから前記クライアントコンピュータシステムにあらかじめダウンロードされた、請求項１〜２４のいずれか一項に記載の方法。
【請求項２６】
１つ又は複数のプロセッサと、
メモリと、
１つ又は複数のプログラムと、
を含み、前記１つ又は複数のプログラムは、前記メモリに記憶され、前記１つ又は複数のプロセッサによって実行されるように構成され、前記１つ又は複数のプログラムは、
第１の相手に関連付けられたホストアプリケーションを実行することであって、前記第１の相手は、ライセンス供与されるコンテンツを再生する権利を確保していることと、
前記ホストアプリケーションと、前記第１の相手に関連付けられたサーバとの間にセキュア通信チャネルを確立することと、
第２の相手に関連付けられた補足アプリケーションを実行することと、
前記補足アプリケーションから、前記クライアントコンピュータシステムで再生される各コンテンツのユーザ選択の表示を取得することであって、前記各コンテンツはラインセス供与されるコンテンツであり、前記補足アプリケーションは、独立して、前記各コンテンツを再生ことを許可されないことと、
前記補足アプリケーションから前記表示を取得することに応答して、
前記セキュア通信チャネルを介して前記各コンテンツにアクセスすることと、
前記補足アプリケーションでの前記各コンテンツの前記ユーザ選択に応答して、前記各コンテンツの再生を開始することであって、前記再生は前記ホストアプリケーションによって実行されることと、
を含むステップを実行する命令を含む、電子装置。
【請求項２７】
１つ又は複数のプロセッサと、
命令を記憶するメモリと、
を含む電子装置であって、前記命令は、前記１つ又は複数のプロセッサによって実行されると、前記プロセッサに、請求項１〜２５のいずれか一項の方法を実行させる、電子装置。
【請求項２８】
１つ又は複数のプログラムを記憶する非一時的なコンピュータ可読記憶媒体であって、前記１つ又は複数のプログラムは命令を含み、前記命令は、電子装置によって実行されると、
第１の相手に関連付けられたホストアプリケーションを実行することであって、前記第１の相手は、ライセンス供与されるコンテンツを再生する権利を確保していることと、
前記ホストアプリケーションと、前記第１の相手に関連付けられたサーバとの間にセキュア通信チャネルを確立することと、
第２の相手に関連付けられた補足アプリケーションを実行することと、
前記補足アプリケーションから、前記クライアントコンピュータシステムで再生される各コンテンツのユーザ選択の表示を取得することであって、前記各コンテンツはラインセス供与されるコンテンツであり、前記補足アプリケーションは、独立して、前記各コンテンツを再生することを許可されないことと、
前記補足アプリケーションから前記表示を取得することに応答して、
前記セキュア通信チャネルを介して前記各コンテンツにアクセスすることと、
前記補足アプリケーションでの前記各コンテンツの前記ユーザ選択に応答して、前記各コンテンツの再生を開始することであって、前記再生は前記ホストアプリケーションによって実行されることと、
を含むステップを前記装置に実行させる、非一時的なコンピュータ可読記憶媒体。
【請求項２９】
１つ又は複数のプログラムを記憶する非一時的なコンピュータ可読記憶媒体であって、前記１つ又は複数のプログラムは命令を含み、前記命令は、電子装置によって実行されると、前記装置に、請求項１〜２５のいずれか一項に記載の方法を実行させる、非一時的なコンピュータ可読記憶媒体。